(57)【特許請求の範囲】
【請求項１】
天井面を形成する天井面形成部材を支持する天井下地構造であって、
横方向に延設されその幅方向において躯体壁から離間して配置される天井下地部材と、
該天井下地部材を躯体に連結する連結部材とを備え、
前記天井下地部材の幅方向の両外側に、上下に沿う側面部と、該側面部の下端部から前記幅方向の外側に延出する段面部とが、長さ方向に延在形成されており、
前記連結部材は、躯体壁に固定される平板状の固定板部と、前記固定板部の下端縁部から該固定板部に垂直をなし躯体壁とは反対の側方に延出して水平に配置される平板状の側方延出板部と、前記側方延出板部における前記固定板部とは反対側の幅方向両側の縁部から前記側方延出板部に垂直をなして下方に延出する平板状の一対の連結板部とを有し、前記一対の連結板部が、前記幅方向の両側の前記側面部に当接して前記天井下地部材に対し前記幅方向に位置決めされ、前記幅方向の両側の前記段面部に当接して前記天井下地部材に対し上下方向に位置決めされて、前記天井下地部材に取り付けられることになり、
前記連結板部の前記側方延出板部からの延出長さが、前記天井下地部材の水平に配置される上面から前記段面部までの距離と同等であることを特徴とする天井下地構造。
【発明の詳細な説明】
【技術分野】
【０００１】
本発明は、天井下地構造に関する。
【背景技術】
【０００２】
天井下地構造として、天井から吊り下げロッドによって吊り下げられた吊り下げボックス梁の下面に中間部用取付金具を取り付けることで、天井下地部材としての中間部用取付金具を連結部材としての吊り下げロッドおよび吊り下げボックス梁を介して天井側に連結する構造がある（例えば、特許文献１参照）。また、天井下地構造として、レール上に延設するように固定プレートを取り付け、この固定プレートを天井に固定することで、天井下地部材としてのレールを連結部材としての固定プレートを介して天井側に連結する構造がある（例えば、特許文献２参照）。
【先行技術文献】
【特許文献】
【０００３】
【特許文献１】特開２０１４−１０１７１５号公報
【特許文献２】特開平２−４９８３８号公報
【発明の概要】
【発明が解決しようとする課題】
【０００４】
上記の天井下地構造では、天井下地部材に対し特にその幅方向における連結部材の位置決めが面倒であり、施工が煩雑になってしまう。
【０００５】
本発明は、施工が容易となる天井下地構造の提供を目的とする。
【課題を解決するための手段】
【０００６】
上記目的を達成するために、本発明の天井下地構造は、天井面を形成する天井面形成部材を支持する天井下地構造であって、横方向に延設されその幅方向において躯体壁から離間して配置される天井下地部材と、該天井下地部材を躯体に連結する連結部材とを備え、前記天井下地部材の幅方向の両外側に、上下に沿う側面部と、該側面部の下端部から前記幅方向の外側に延出する段面部とが、長さ方向に延在形成されており、前記連結部材は、躯体壁に固定される平板状の固定板部と、前記固定板部の下端縁部から該固定板部に垂直をなし躯体壁とは反対の側方に延出して水平に配置される平板状の側方延出板部と、前記側方延出板部における前記固定板部とは反対側の幅方向両側の縁部から前記側方延出板部に垂直をなして下方に延出する平板状の一対の連結板部とを有し、前記一対の連結板部が、前記幅方向の両側の前記側面部に当接して前記天井下地部材に対し前記幅方向に位置決めされ、前記幅方向の両側の前記段面部に当接して前記天井下地部材に対し上下方向に位置決めされて、前記天井下地部材に取り付けられることになり、前記連結板部の前記側方延出板部からの延出長さが、前記天井下地部材の水平に配置される上面から前記段面部までの距離と同等であることを特徴とする。
【０００７】
これにより、連結部材は、天井下地部材の幅方向外側の上下に沿い且つ長さ方向に延在形成された側面部に当接して天井下地部材に対しその幅方向に位置決めされることになり、天井下地部材のこの側面部の下端部から幅方向の外側に延出する段面部に当接して天井下地部材に対し上下方向に位置決めされることになる。よって、天井下地部材に対するその幅方向および上下方向の連結部材の位置決めが容易となり、施工が容易となる。
【０００９】
また、天井下地部材に対するその幅方向および上下方向の連結部材の位置決めが一層容易となり、施工が一層容易となる。
【００１１】
また、天井下地部材の躯体壁への連結時に、天井下地部材に対するその幅方向および上下方向の連結部材の位置決めが一層容易となり、施工が一層容易となる。
【発明の効果】
【００１２】
本発明によれば、施工が容易となる。
【図面の簡単な説明】
【００１３】
【図１】本発明の一実施形態に係る天井下地構造を含む膜天井構造の平面図である。
【図２】図１のＡ−Ａ断面図である。
【図３】図１のＢ−Ｂ断面図である。
【図４】本発明の一実施形態に係る天井下地構造の躯体壁固定金具、ハンガー、廻り縁部材および中間下地部材を示す斜視図である。
【図５】本発明の一実施形態に係る天井下地構造の十字状連結部を示す斜視図である。
【図６】本発明の一実施形態に係る天井下地構造の中間下地部材同士の連結部分を示す斜視図である。
【発明を実施するための形態】
【００１４】
本発明の一実施形態に係る天井下地構造について、図面を参照して説明する。
【００１５】
図１は、本実施形態に係る天井下地構造を含む膜天井構造を躯体天井側から見た平面図である。この膜天井構造は、下地構造部１と、この下地構造部１に展張状態で支持される複数枚のシート材２とを有している。シート材２は、建物の室内の天井面を形成する天井面形成部材となっている。ここでは、建物の直方体形状の室に本実施形態に係る天井下地構造を適用する場合を例にとり説明する。
【００１６】
下地構造部１は、横方向に延設され全長にわたって躯体壁Ｗに接して躯体壁Ｗに取り付けられる直線状の壁側支持部３と、横方向に延設されて長さ方向の両端部が躯体壁Ｗに取り付けられ中間部分はいずれの躯体壁Ｗからも離間して配置される直線状の中間支持部４とを有している。壁側支持部３は取り付け先の躯体壁Ｗと平行をなして水平に延設されており、中間支持部４は取り付け先の躯体壁Ｗと直交して水平に延設されている。
【００１７】
壁側支持部３は、すべての躯体壁Ｗに設けられている。ここで、室が直方体形状をなすことで四箇所の躯体壁Ｗを有することから、下地構造部１は、四つの壁側支持部３を有しており、これらが全体として矩形枠状をなすように連設されている。また、下地構造部１は、複数の中間支持部４を有し、これらが平行状態あるいは直交状態に配置されて全体として格子状をなしている。下地構造部１は、四つの壁側支持部３および複数の中間支持部４のうち、適宜の枠状に連続する四つの組み合わせによってそれぞれの内側に閉塞対象空間５が形成されており、これらの閉塞対象空間５がそれぞれ一箇所一枚のシート材２で閉塞されている。
【００１８】
下地構造部１は、横方向に延設され図２に示すようにその幅方向において躯体壁Ｗに接して躯体壁Ｗに固定される天井下地部材としての廻り縁部材１１と、躯体壁Ｗに固定される躯体壁固定金具１２と、図３に示す躯体天井Ｃに固定されて鉛直下方に延出する吊りボルト１３と、吊りボルト１３の下部に取り付けられるハンガー１４と、を有している。廻り縁部材１１は、壁側支持部３を主に構成するものであり、取り付け先の躯体壁Ｗと平行をなして水平に延設されている。
【００１９】
また、下地構造部１は、図２に示すように長さ方向の端部が躯体壁固定金具１２に取り付けられて躯体壁Ｗに固定され、長さ方向の中間部が図３に示すようにハンガー１４に取り付けられて躯体天井Ｃに吊りボルト１３を介して連結される天井下地部材としての中間下地部材２１を有している。中間下地部材２１は、図１に示すように、横方向に延設されその幅方向において躯体壁Ｗから離間して配置されている。中間下地部材２１は、中間支持部４を主に構成するものであり、取り付け先の躯体壁Ｗと垂直をなして水平に延設されている。躯体壁固定金具１２は、中間下地部材２１を躯体壁Ｗに連結する躯体壁連結部材であり、ハンガー１４は、中間下地部材２１を躯体天井Ｃに連結する躯体天井連結部材となっている。
【００２０】
さらに、下地構造部１は、複数の中間下地部材２１同士を直交状態に連結する下地部材同士連結部材である交差連結金具２２と、複数の中間下地部材２１同士を同一直線をなすように連結する下地部材同士連結部材である延長連結金具２３と、中間下地部材２１の振れ止めを行う振止部２４と、を有している。廻り縁部材１１は、壁側支持部３を構成し、躯体壁固定金具１２および中間下地部材２１は、中間支持部４を構成する。
【００２１】
廻り縁部材１１は、長尺状の部材であり、水平に配置された状態で、固定先の鉛直延在する躯体壁Ｗにこれと平行をなすように当接して固定されている。廻り縁部材１１は四方の躯体壁Ｗのそれぞれに取り付けられて全体として矩形枠状をなすように連設されている。廻り縁部材１１は、例えばアルミニウム合金製の押し出し成形品であり、押し出し方向に長い長尺状をなしている。図２に示すように、廻り縁部材１１は、躯体壁Ｗに当接した状態でボルト３１で躯体壁Ｗに固定されている。廻り縁部材１１の下部には、躯体壁Ｗ側にカバー取付部３２が形成され、躯体壁Ｗとは反対側に下向きに開口する下向溝３３が形成されている。
【００２２】
下向溝３３には、シート材２の端縁部とともに角筒状の係止部材３５が挿入されており、下向溝３３の底部と係止部材３５とが、これらの間にシート材２を挟持する状態でドリルビス３６により連結されている。シート材２はドリルビス３６を貫通させること、および、下向溝３３の底部と係止部材３５とに挟持されることで、廻り縁部材１１に端縁部が支持されている。係止部材３５は、例えばアルミニウム合金製の押し出し成形品であり、押し出し方向に長い長尺状をなしている。
【００２３】
カバー取付部３２には、廻り縁カバー４１が取り付けられている。カバー取付部３２に取り付けられた状態で、廻り縁カバー４１は、このカバー取付部３２を下側で覆うとともに、下向溝３３、この下向溝３３に挿入された係止部材３５、この係止部材３５を廻り縁部材１１に固定している複数のドリルビス３６およびシート材２の端縁部を下側で覆う。回り縁カバー４１は、例えば合成樹脂製の押し出し成形品であり、押し出し方向に長い長尺状をなしている。
【００２４】
躯体壁固定金具１２は、鋼製であり、躯体壁Ｗに当接し、貫通穴５１に挿通されるボルト５２で躯体壁Ｗに固定される平板状の固定板部５３と、固定板部５３の下端縁部から固定板部５３に垂直をなして躯体壁Ｗとは反対の側方に延出する平板状の側方延出板部５４と、図４に示すように側方延出板部５４における固定板部５３とは反対側の幅方向両側の縁部から側方延出板部５４に垂直をなして下方に延出する平板状の一対（図４に一方のみ図示）の連結板部５５とを有している。一対の連結板部５５は、互いに平行をなしており、固定板部５３および側方延出板部５４に直交する面に平行に配置されている。一対の連結板部５５にはそれぞれに貫通穴５６が一箇所ずつ（図４に一方のみ図示）形成されている。
【００２５】
躯体壁固定金具１２は、その固定板部５３が、幅方向に並ぶ複数具体的には二箇所の貫通穴５１を有しており、これら貫通穴５１にそれぞれ挿通される図２に示すボルト５２で躯体壁Ｗに固定される。躯体壁固定金具１２は、水平に配置された廻り縁部材１１の上端面に側方延出板部５４の下面を当接させた状態で躯体壁Ｗに取り付けられることになり、この状態で、側方延出板部５４は水平に配置され、一対の連結板部５５は鉛直下方に延出する。
【００２６】
図３に示すように、吊りボルト１３は、その上端が躯体天井Ｃに固定されて躯体天井Ｃから鉛直下方に延出している。吊りボルト１３には、その下部にハンガー１４が、ナット６１，６２で取り付けられている。
【００２７】
ハンガー１４は、鋼製であり、吊りボルト１３が挿通される図示略の貫通穴を有しナット６１，６２で吊りボルト１３に連結される平板状の基板部７２と、基板部７２の両端縁部から下方に延出する平板状の一対の取付板部７３とを有するＵ字状の部品となっている。図４に示すように、一対の取付板部７３には、貫通穴７４がそれぞれ一箇所ずつ（図４に一方のみ図示）形成されている。基板部７２は水平に配置され、一対の取付板部７３は互いに平行をなして鉛直に延在する。
【００２８】
中間下地部材２１は、長尺状の部材であり、水平に配置された状態で、図２に示すように躯体壁固定金具１２を介して固定先の躯体壁Ｗにこれと垂直をなすように連結されたり、図３に示すようにハンガー１４および吊りボルト１３を介して躯体天井Ｃに連結されたりする。中間下地部材２１は、例えばアルミニウム合金製の押し出し成形品であり、押し出し方向に長い長尺状をなしている。
【００２９】
中間下地部材２１は、図４に示すように躯体壁固定金具１２の一対（図４に一方のみ図示）の連結板部５５に挟持された状態で、各貫通穴５６に挿通された一対のドリルビス８１で躯体壁固定金具１２に取り付けられたり、ハンガー１４の一対の取付板部７３に挟持されて各貫通穴７４に挿通された一対のドリルビス８２でハンガー１４に取り付けられたり、図５，図６に示すように、他の中間下地部材２１に取り付けられたりする。このようにして中間下地部材２１は、水平に配置される。
【００３０】
図３に示すように、中間下地部材２１は、水平に配置される平板状の上板部９１と、上板部９１の幅方向の両端縁部から上板部９１に対し垂直をなして下方に延出する平板状の互いに平行な一対の装着板部９２と、一対の装着板部９２の下端縁部同士を結んで水平に配置され一対の装着板部９２よりも幅方向の両外側まで延出する平板状の中間板部９３と、中間板部９３の幅方向の両端縁部から一対の装着板部９２と平行をなして下方に延出する平板状の一対の側板部９４と、一対の側板部９４のそれぞれの下端縁部から幅方向外方に突出する一対の突出板部９５と、中間板部９３の幅方向の中間位置から一対の側板部９４と平行をなして下方に延出する平板状の一対の下方延出板部９６と、を有している。上板部９１の上端面９１ａは水平に配置されて中間下地部材２１の長さ方向に延在している。
【００３１】
中間下地部材２１の幅方向一側について見てみると、装着板部９２の外側の側面部９２ａは、上板部９１の上端面９１ａの幅方向一側の端縁部から下方に延出している。つまり、側面部９２ａは、上下方向に沿い且つ中間下地部材２１の長さ方向に延在している。また、中間板部９３の装着板部９２よりも外側に突出する部分の上面である段面部９３ａは、側面部９２ａの下端部から中間下地部材２１の幅方向の外側に水平に延出して、中間下地部材２１の長さ方向に延在している。つまり、中間下地部材２１の幅方向の外側には、上下に沿う側面部９２ａと、この側面部９２ａの下端部から中間下地部材２１の幅方向の外側に延出する段面部９３ａとが、長さ方向に延在形成されている。また、側板部９４の外側の面部９４ａは、側面部９２ａと平行をなして中間下地部材２１の長さ方向に延在している。
【００３２】
中間下地部材２１の幅方向他側について見てみると、幅方向一側と同様の側面部９２ａ、段面部９３ａおよび面部９４ａが形成されている。つまり、中間下地部材２１には、その幅方向の両側に、側面部９２ａ、段面部９３ａおよび面部９４ａが形成されている。中間下地部材２１は、側面部９２ａから上側範囲では、側面部９２ａが中間下地部材２１の幅方向の最も外側に位置しており、上側の幅が下側の幅よりも狭い段差状をなしている。
【００３３】
中間下地部材２１において、幅方向一側の側板部９４とこれに近い側の下方延出板部９６と中間板部９３のこれらの間部分とが、これらの内側に、下向きに開口する幅方向一側の下向溝１０１を形成している。また、幅方向他側の側板部９４とこれに近い側の下方延出板部９６と中間板部９３のこれらの間部分とが、これらの内側に、下向きに開口する幅方向他側の下向溝１０１を形成している。これら下向溝１０１の間は、中間カバー取付部１０２となっている。
【００３４】
中間下地部材２１を図４に示すように躯体壁固定金具１２に取り付ける際には、躯体壁固定金具１２の一対の連結板部５５で中間下地部材２１の一対の装着板部９２の両側の側面部９２ａを挟持しつつ、一対の連結板部５５を中間板部９３の両側の段面部９３ａに当接させることにより、躯体壁固定金具１２に対して中間下地部材２１をその幅方向および上下方向に位置決めする。言い換えれば、躯体壁固定金具１２は、中間下地部材２１の幅方向両側の側面部９２ａに当接して中間下地部材２１に対しその幅方向に位置決めされ、中間下地部材２１の幅方向両側の段面部９３ａに当接して中間下地部材２１に対し上下方向に位置決めされて、中間下地部材２１に取り付けられる。
【００３５】
このように躯体壁固定金具１２に対して中間下地部材２１を位置決めした状態で、一対のドリルビス８１を一対の連結板部５５の各貫通穴５６に挿通後、各装着板部９２にねじ込むことで、中間下地部材２１が躯体壁固定金具１２に固定される。このようにして、躯体壁固定金具１２を介して中間下地部材２１が図２に示す躯体壁Ｗに連結される。
【００３６】
また、中間下地部材２１を図４に示すようにハンガー１４に取り付ける際には、ハンガー１４の一対の取付板部７３で中間下地部材２１の一対の装着板部９２の両側の側面部９２ａを挟持しつつ、一対の取付板部７３を中間板部９３の両側の段面部９３ａに当接させることにより、ハンガー１４に対して中間下地部材２１をその幅方向および上下方向に位置決めする。言い換えれば、ハンガー１４は、中間下地部材２１の幅方向両側の側面部９２ａに当接して中間下地部材２１に対しその幅方向に位置決めされ、中間下地部材２１の幅方向両側の段面部９３ａに当接して中間下地部材２１に対し上下方向に位置決めされて、中間下地部材２１に取り付けられる。
【００３７】
このようにハンガー１４に対して中間下地部材２１を位置決めした状態で、一対のドリルビス８２を一対の取付板部７３の各貫通穴７４に挿通後、各装着板部９２にねじ込むことで中間下地部材２１がハンガー１４に固定される。このようにして、吊りボルト１３およびハンガー１４を介して中間下地部材２１が図３に示す躯体天井Ｃに連結される。
【００３８】
図５に示す交差連結金具２２は、鋼製であり、互いに垂直をなす平板状の一対の連結板部１１１を有するＬ字状の部品となっている。一対の連結板部１１１には、それぞれに、複数具体的には二箇所の貫通穴１１２が長さ方向に並んで形成されている。
【００３９】
一の中間下地部材２１を他の中間下地部材２１に直交するように連結する場合には、一の交差連結金具２２の一方の連結板部１１１を一の中間下地部材２１の一方の装着板部９２の側面部９２ａおよび中間板部９３の段面部９３ａに当接させることにより、一の交差連結金具２２に対して一の中間下地部材２１をその幅方向および上下方向に位置決めする。言い換えれば、一の交差連結金具２２は、一の中間下地部材２１の幅方向一側の側面部９２ａに当接して一の中間下地部材２１に対しその幅方向に位置決めされ、一の中間下地部材２１の幅方向一側の段面部９３ａに当接して一の中間下地部材２１に対し上下方向に位置決めされて、一の中間下地部材２１に取り付けられる。
【００４０】
このように一の交差連結金具２２に対して一の中間下地部材２１を位置決めした状態で、二本のドリルビス１１３を一方の連結板部１１１の各貫通穴１１２に挿通後、一の中間下地部材２１の一方の装着板部９２にねじ込む。これにより、一の交差連結金具２２が一の中間下地部材２１に固定される。
【００４１】
また、この一の交差連結金具２２の他方の連結板部１１１を他の中間下地部材２１の一方の装着板部９２の側面部９２ａおよび中間板部９３の段面部９３ａに当接させることにより、この一の交差連結金具２２に対して他の中間下地部材２１をその幅方向および上下方向に位置決めする。言い換えれば、一の交差連結金具２２は、他の中間下地部材２１の幅方向一側の側面部９２ａに当接して他の中間下地部材２１に対しその幅方向に位置決めされ、他の中間下地部材２１の幅方向一側の段面部９３ａに当接して他の中間下地部材２１に対し上下方向に位置決めされて、他の中間下地部材２１に取り付けられる。
【００４２】
このように一の交差連結金具２２に対して他の中間下地部材２１を位置決めした状態で、二本のドリルビス１１３を他方の連結板部１１１の各貫通穴１１２に挿通後、他の中間下地部材２１の一方の装着板部９２にねじ込む。これにより、一の交差連結金具２２が他の中間下地部材２１に固定される。このような交差連結金具２２による連結を、四つの交差連結金具２２について繰り返し行うことで、一本の中間下地部材２１の両側に二本の中間下地部材２１が全体として十字状をなすように連結されて十字状連結部１１５を形成することになる。
【００４３】
このような十字状連結部１１５を複数形成して、複数の中間下地部材２１つまり複数の中間支持部４を全体として格子状をなすように連結する。図１に示すように、複数の中間支持部４は、すべての十字状連結部１１５の位置が上記したハンガー１４を介して吊りボルト１３に吊られている。その際に、ハンガー１４は、四つの交差連結金具２２の間に配置された状態で、十字状連結部１１５を貫通する一の中間下地部材２１の一対の装着板部９２に固定される。
【００４４】
ここで、中間支持部４の長さによっては、一の中間下地部材２１を他の中間下地部材２１に対してその延長上に連結する必要があり、その場合には、図６に示す延長連結金具２３を用いて連結する。延長連結金具２３は、鋼製であり、平板状の基板部１２１と、基板部１２１の幅方向の両端縁部から下方に延出する平板状の互いに平行な一対（図６において一方のみ図示）の連結板部１２２とを有するＵ字状の部品である。一対の連結板部１２２には、それぞれに、複数具体的には二箇所の貫通穴１２３が長さ方向に並んで形成されている。
【００４５】
一の中間下地部材２１を他の中間下地部材２１に対してその延長上に連結する場合には、延長連結金具２３の一対の連結板部１２２で一の中間下地部材２１の一対の装着板部９２の側面部９２ａおよび他の中間下地部材２１の一対の装着板部９２の側面部９２ａを同時に挟持しつつ、一対の連結板部１２２を両方の中間下地部材２１の中間板部９３の両側の段面部９３ａに当接させることにより、延長連結金具２３に対して二本の中間下地部材２１をその幅方向および上下方向に位置決めする。言い換えれば、延長連結金具２３は、二本の中間下地部材２１の幅方向両側の側面部９２ａに同時に当接してこれら中間下地部材２１に対しそれぞれの幅方向に位置決めされ、これら中間下地部材２１の幅方向両側の段面部９３ａに同時に当接してこれら中間下地部材２１に対し上下方向に位置決めされて、これら中間下地部材２１に取り付けられる。
【００４６】
このように延長連結金具２３に対して二本の中間下地部材２１を位置決めした状態で、一のドリルビス１２４を一方の連結板部１２２の一の貫通穴１２３に挿通後、一の中間下地部材２１の一方の装着板部９２にねじ込むとともに、他のドリルビス１２４をこの一方の連結板部１２２の他の貫通穴１２３に挿通後、他の中間下地部材２１の一方の装着板部９２にねじ込む。さらに他のドリルビス１２４を他方の連結板部１２２の一の貫通穴１２３に挿通後、一の中間下地部材２１の他方の装着板部９２にねじ込むとともに、さらに他のドリルビス１２４をこの他方の連結板部１２２の他の貫通穴１２３に挿通後、他の中間下地部材２１の他方の装着板部９２にねじ込む。このようにして、一の中間下地部材２１の一対の装着板部９２が一の延長連結金具２３を介して他の中間下地部材２１の一対の装着板部９２に連結される。
【００４７】
図１に示すように壁側支持部３を構成する廻り縁部材１１が全体として矩形枠状をなすように設置され、中間支持部４を構成する中間下地部材２１が躯体壁固定金具１２、ハンガー１４、吊りボルト１３、交差連結金具２２および延長連結金具２３が適宜用いられることで全体として格子状をなすように設置されて下地構造部１が構築されることになる。下地構造部１は、複数の中間下地部材２１によって構成される格子状の部分が躯体壁固定金具１２を介して四つの躯体壁Ｗのすべてに固定されることになる。
【００４８】
振止部２４は、図３に示すように、中間下地部材２１に取り付けられるものであり、中間下地部材２１および躯体天井Ｃに取り付けられる四つのＬ字固定金具１３１と、二本のワイヤ１３２とを有している。Ｌ字固定金具１３１は、中間下地部材２１を躯体天井Ｗに連結する躯体天井連結部材となっている。
【００４９】
Ｌ字固定金具１３１は、鋼製であり、互いに垂直をなす平板状の板部１３３とこれよりも長い平板状の板部１３４とを有している。短い側の板部１３３には複数の貫通穴１３５が形成されており、長い側の板部１３４にも複数の貫通穴１３６が形成されている。
【００５０】
一のＬ字固定金具１３１が、補強対象の中間下地部材２１の幅方向一側の一方の装着板部９２の外側に取り付けられている。このＬ字固定金具１３１は、板部１３３を一方の装着板部９２の側面部９２ａに当接させ板部１３４を中間板部９３の段面部９３ａに当接させることで、中間下地部材２１に対しその幅方向および上下方向に位置決めされる。言い換えれば、Ｌ字固定金具１３１は、中間下地部材２１の幅方向一側の側面部９２ａに当接してこの中間下地部材２１に対しその幅方向に位置決めされ、この中間下地部材２１の幅方向一側の段面部９３ａに当接してこの中間下地部材２１に対し上下方向に位置決めされて、この中間下地部材２１に取り付けられている。
【００５１】
このようにＬ字固定金具１３１に対して中間下地部材２１を位置決めした状態で、複数のドリルビス１４１をそれぞれ貫通穴１３５に挿通させて一方の装着板部９２にねじ込む。これにより、一のＬ字固定金具１３１が中間下地部材２１の一方の装着板部９２に取り付けられる。他のＬ字固定金具１３１が、補強対象の中間下地部材２１の幅方向他側の他方の装着板部９２に一のＬ字固定金具１３１と同様にして対称状に取り付けられる。このようにして、中間下地部材２１の幅方向の両側に一対のＬ字固定金具１３１が取り付けられる。
【００５２】
また、さらに他のＬ字固定金具１３１が、補強対象の中間下地部材２１の幅方向一側にて躯体天井Ｃの中間下地部材２１から離れた位置に取り付けられている。その際に、板部１３３を板部１３４よりも中間下地部材２１から水平方向遠い側に配置した状態とされる。この状態で、複数のボルト１４２がそれぞれ貫通穴１３６に挿通後、躯体天井Ｃに螺合されることにより、このＬ字固定金具１３１が躯体天井Ｃに取り付けられる。また、さらに他のＬ字固定金具１３１が、補強対象の中間下地部材２１の幅方向他側にて躯体天井Ｃの中間下地部材２１から離れた位置に上記と同様にして対称状に取り付けられている。
【００５３】
そして、中間下地部材２１の幅方向一側にて中間下地部材２１に取り付けられたＬ字固定金具１３１の貫通穴１３６と、同じく中間下地部材２１の幅方向一側にて躯体天井Ｃに取り付けられたＬ字固定金具１３１の貫通穴１３５とに挿通されて一方のワイヤ１３２がテンションを発生する緊張状態で架設されている。いずれも中間下地部材２１の幅方向一側にある、二つのＬ字固定金具１３１、ワイヤ１３２、複数のドリルビス１４１および複数のボルト１４２が、補強対象の中間下地部材２１から幅方向一側に斜め上方に延出して躯体天井Ｃに連結される一方の斜め連結部１４５となっている。
【００５４】
また、この一方の斜め連結部１４５と同様にして対称状に、中間下地部材２１から幅方向他側に斜め上方に延出して躯体天井Ｃに連結される他方の斜め連結部１４５が設けられている。この斜め連結部１４５は、いずれも中間下地部材２１の幅方向他側にある、二つのＬ字固定金具１３１、ワイヤ１３２、複数のドリルビス１４１および複数のボルト１４２からなっている。これらの一対の斜め連結部１４５が、いずれもテンションを発生させながら中間下地部材２１つまり中間支持部４を幅方向両側に引き上げて振れ止めを行う。
【００５５】
両側の下向溝１０１には、それぞれ、シート材２の端縁部とともに係止部材３５が挿入されており、下向溝１０１の底部と係止部材３５とが、これらの間にシート材２を挟持する状態でドリルビス３６により連結されている。シート材２はドリルビス３６を貫通させていること、および、下向溝１０１の底部と係止部材３５とに挟持されることで、中間下地部材２１に端縁部が支持されている。
【００５６】
中間カバー取付部１０２には、中間カバー１５１が取り付けられる。中間カバー取付部１０２に取り付けられた状態で中間カバー１５１は、この中間カバー取付部１０２を下側で覆うとともに、その両側の下向溝１０１、各下向溝１０１に挿入された係止部材３５、各係止部材３５を中間下地部材２１に固定している複数のドリルビス３６および両側のシート材２の端縁部を下側で覆う。中間カバー１５１は、例えば合成樹脂製の押し出し成形品であり、押し出し方向に長い長尺状をなしている。
【００５７】
図２に示す廻り縁部材１１と、その下向溝３３に挿入される係止部材３５と、この係止部材３５を廻り縁部材１１に固定する複数のドリルビス３６とによって、シート材２を支持するとともに、長さ方向の全体が躯体壁Ｗに取り付けられ取り付け先の躯体壁Ｗと平行をなして水平に配置される直線状の壁側支持部３が形成され、この壁側支持部３にこれを覆う回り縁カバー４１が取り付けられている。ここで、壁側支持部３の取り付け先の躯体壁Ｗの水平方向長さに応じて、廻り縁部材１１、回り縁カバー４１および係止部材３５は、切断されたり、あるいは複数本が連接されたりして長さが調整される。
【００５８】
図３に示す中間下地部材２１と、その一対の下向溝１０１にそれぞれ挿入される係止部材３５と、これらの係止部材３５を中間下地部材２１に固定する複数のドリルビス３６とによって、二枚のシート材２を支持するとともに、長さ方向の端部が躯体壁Ｗに固定され中間部が躯体天井Ｃに吊りボルト１３を介して連結される直線状の中間支持部４が形成され、この中間支持部４にこれを覆う中間カバー１５１が取り付けられている。中間支持部４は、固定先の躯体壁Ｗと垂直をなして水平に配置されており、複数の中間支持部４が平行あるいは直交状態に連結されて格子状をなす。
【００５９】
対向する躯体壁Ｗの間隔や中間支持部４の他の中間支持部４との交差状態に応じて、中間下地部材２１、中間カバー１５１および係止部材３５は、切断されたり、あるいは複数本が連接されたりして長さが調整される。すべての壁側支持部３およびすべての中間支持部４は、高さ位置を合せており、言い換えれば、これらは全体として同一平面状に配置されている。
【００６０】
閉塞対象空間５の数と同数枚のシート材２が、それぞれの四つの周縁部が下地構造部１に支持されて対応する閉塞対象空間５を閉塞しつつ展張される。その後、回り縁カバー４１および中間カバー１５１が適宜取り付けられる。これにより、回り縁カバー４１および中間カバー１５１の室に露出する部分と、シート材２の室に露出する部分とで室の天井面１５５が形成される。なお、すべてのシート材２は、テンションを発生する緊張状態で下地構造部１に支持されており、室に露出して天井面１５５を構成する中間部が水平に配置されている。シート材２は、難燃性材料からなっており、具体的にはガラス繊維が織り込まれた伸縮性の低いガラスクロスとなっている。なお、シート材２として、合成樹脂を主体としたものや、布等、他の種々の材質のものを用いても良い。
【００６１】
以上に述べた本実施形態によれば、躯体壁固定金具１２、ハンガー１４、交差連結金具２２、延長連結金具２３およびＬ字固定金具１３１は、それぞれ、中間下地部材２１の幅方向外側の上下に沿い且つ長さ方向に延在形成された側面部９２ａに当接して中間下地部材２１に対しその幅方向に位置決めされることになり、中間下地部材２１のこの側面部９２ａの下端部から幅方向の外側に延出する段面部９３ａに当接して中間下地部材２１に対し上下方向に位置決めされることになる。よって、中間下地部材２１に対するその幅方向および上下方向の躯体壁固定金具１２、ハンガー１４、交差連結金具２２、延長連結金具２３およびＬ字固定金具１３１のそれぞれの位置決めが容易となり、施工が容易となる。
【００６２】
また、中間下地部材２１の幅方向の両側に、側面部９２ａおよび段面部９３ａが形成されており、躯体壁固定金具１２、ハンガー１４および延長連結金具２３は、中間下地部材２１の幅方向の両側の側面部９２ａに当接し、幅方向の両側の段面部９３ａに当接する。よって、中間下地部材２１に対するその幅方向および上下方向の躯体壁固定金具１２、ハンガー１４および延長連結金具２３のそれぞれの位置決めが一層容易となり、施工が一層容易となる。
【００６３】
また、中間下地部材２１は、その側面部９２ａから上側範囲では、側面部９２ａが中間下地部材２１の幅方向の最も外側に位置するため、躯体側に取り付けられた状態の躯体壁固定金具１２およびハンガー１４に対して中間下地部材２１を容易に位置決めして取り付けることができ、施工が一層容易となる。
【００６４】
中間下地部材２１を躯体壁Ｗに連結する躯体壁固定金具１２と、中間下地部材２１を躯体天井Ｃに連結するハンガー１４およびＬ字固定金具１３１と、中間下地部材２１同士を連結する交差連結金具２２および延長連結金具２３と含むため、中間下地部材２１の躯体壁Ｗへの連結時と、中間下地部材２１の躯体天井Ｃへの連結時と、中間下地部材２１同士の連結時とで、中間下地部材２１に対するその幅方向および上下方向の躯体壁固定金具１２、ハンガー１４、交差連結金具２２、延長連結金具２３およびＬ字固定金具１３１のそれぞれの位置決めが一層容易となり、施工が一層容易となる。
【符号の説明】
【００６５】
２  シート材（天井面形成部材）
１２  躯体壁固定金具（連結部材、躯体壁連結部材）
１４  ハンガー（連結部材、躯体天井連結部材）
２１  中間下地部材（天井下地部材）
２２  交差連結金具（連結部材、下地部材同士連結部材）
２３  延長連結金具（連結部材、下地部材同士連結部材）
９２ａ  側面部
９３ａ  段面部
１３１  Ｌ字固定金具（連結部材、躯体天井連結部材）
Ｗ  躯体壁
Ｃ  躯体天井
【図１】
0006596785.tif 000002
【図２】
0006596785.tif 000003
【図３】
0006596785.tif 000004
【図４】
0006596785.tif 000005
【図５】
0006596785.tif 000006
【図６】
0006596785.tif 000007